(57)【要約】【課題】メインスイッチ（電源スイッチ）用の操作部材とズーム操作用の操作部材とを兼用することによってスイッチ類（操作部材）の省スペース化やコストの低減を図ると共に、ズーム操作部材のズーム操作と同一操作によって電源のオン／オフを切り替えられるようにすることによって電源のオン（カメラの起動）からズーム操作までの一連の操作を簡単且つ迅速に行うことができるにしたカメラを提供する。【解決手段】コンパクトカメラのカメラボディ１０の背面側にズーム操作を行うためのワイドボタン３０とテレボタン３２が設けられている。電源がオフされている状態で、テレボタン３２を２秒間押すと、電源がオンされ、電源がオンされている状態で、且つ、ズームがワイド端の状態に設定されているときにワイドボタン３０を２秒間押すと、電源がオフされる。【選択図】      図２
2006163138.tif 000002
【特許請求の範囲】
【請求項１】
可変焦点距離の撮影レンズを備えたカメラであって、前記撮影レンズの焦点距離を短くするワイド側ズーム操作と、前記撮影レンズの焦点距離を長くするテレ側ズーム操作とを行うズーム操作部材と、該ズーム操作部材の操作に従って前記撮影レンズの焦点距離を変更するズーム動作を電動で行うズーム制御手段と、を備えたカメラにおいて、
前記カメラが撮影不能な停止状態の場合に、前記ズーム操作部材によってワイド側ズーム操作又はテレ側ズーム操作が一定時間継続して行われると、前記カメラを撮影可能な動作状態に切り替える起動手段と、
前記カメラが前記動作状態の場合に、前記撮影レンズの焦点距離が最短となるワイド端に設定されている状態で前記ズーム操作部材によってワイド側ズーム操作が一定時間継続して行われた場合、又は、前記撮影レンズの焦点距離が最長となるテレ端に設定されている状態で前記ズーム操作部材によってテレ側ズーム操作が一定時間継続して行われた場合に、前記カメラを撮影不能な停止状態に切り替える停止手段と、
を備えたことを特徴とするカメラ。
【請求項２】
前記ズーム操作部材によるワイド側ズーム操作の有無によってオン／オフ状態が切り替わるワイドスイッチと、前記ズーム操作部材によるテレ側ズーム操作の有無によってオン／オフ状態が切り替わるテレスイッチとを備え、
前記ズーム制御手段、前記起動手段、及び、前記停止手段は、前記ワイドスイッチ又は前記テレスイッチのオン／オフ状態に基づいてワイド側ズーム操作又はテレ側ズーム操作が行われていることを検出することを特徴とする請求項１のカメラ。
【請求項３】
前記ズーム操作部材は、前記ワイドスイッチのオン／オフ状態を切り替えるワイドボタンと、該ワイドボタンと別体であって前記テレスイッチのオン／オフ状態を切り替えるテレボタンとからなることを特徴とする請求項２のカメラ。
【請求項４】
前記撮影レンズは、前記カメラが前記停止状態から前記動作状態に切り替わると鏡胴がカメラボディに沈胴している沈胴状態から前記ワイド端の位置に繰り出され、前記カメラが前記動作状態から前記停止状態に切り替わると前記鏡胴が前記沈胴状態に繰り込まれることを特徴とする請求項１、２、又は、３のカメラ。
【発明の詳細な説明】
【技術分野】
【０００１】
本発明はカメラに係り、特に可変焦点距離の撮影レンズを備えたカメラに関する。
【背景技術】
【０００２】
例えば従来、可変焦点距離の撮影レンズを備え、電動で焦点距離を変更する電動ズームの機能を備えたカメラ（例えば銀塩カメラ）において、ワイド側又はテレ側にズーム操作するためズーム操作部材と電源をオン／オフするためのメインスイッチ（電源スイッチ）用の操作部材とを兼用し、スイッチ類（操作部材）の省スペース化を図るものが例えば特許文献１、２に提案されている。
【０００３】
特許文献１では、スイッチ部材をスライドさせて電源のオン／オフを行い、電源をオンした位置でそのスイッチ部材を揺動させると、ズーム操作を行うことができるようになっている。
【０００４】
特許文献２では、レンズ鏡胴にズーム操作のためのズームリングが設けられており、そのズームリングをワイド端からテレ端までのズーム範囲に対応する操作範囲の外側に設定すると電源がオフされ、ズーム範囲に対応する操作範囲内に設定すると電源がオンされるようになっている。
【特許文献１】特開平６−１１８２９０号公報
【特許文献２】特開２０００−３０５００２号公報
【発明の開示】
【発明が解決しようとする課題】
【０００５】
しかしながら、特許文献１の提案では、スイッチ部材をスライド動作させる機構と揺動させる機構が必要であり、また、それらの動作に伴い物理的に接続又は切断されるメインスイッチとズームスイッチの両方が必要であるため、構造が複雑になるという欠点がある。また、電源をオンしてズームを所望の位置に設定するまでにスイッチ部材のスライド操作と揺動操作の異なる操作が必要となるため手間と時間を要する。更に、それらの操作が異なるために電源をオンするときと、ズーム操作を行うときとでカメラを持ち替える必要も生じ、撮影姿勢でこれらの一連の操作を円滑に行うことが難しいという欠点があった。
【０００６】
また、特許文献２の提案では、ズームリング、又は、ズームリングのようにズーム位置に対応して操作位置が変化する操作部材を備えるカメラにしか適用できず、そのような操作部材は、却って広いスペースを必要としスイッチ類の省スペース化には適さない。また、レンズ鏡胴にズームリングを設置することが容易なカメラであればズームリングの操作で電源をオン／オフすることはスイッチ類の省スペース化にとって有効であるが、コンパクトカメラのように鏡胴がカメラボディからあまり突出していないものや、電源オフ時にボディ内に沈胴するものではレンズ鏡胴にズームリングを設けることは困難である。
【０００７】
本発明はこのような事情に鑑みてなされたもので、メインスイッチ（電源スイッチ）用の操作部材とズーム操作用の操作部材とを兼用してスイッチ類（操作部材）の省スペース化やコストの低減を図ると共に、電源のオン（カメラの起動）からズーム操作までの一連の操作を簡単且つ迅速に行うことができるカメラを提供することを目的とする。
【課題を解決するための手段】
【０００８】
前記目的を達成するために、請求項１に記載のカメラは、可変焦点距離の撮影レンズを備えたカメラであって、前記撮影レンズの焦点距離を短くするワイド側ズーム操作と、前記撮影レンズの焦点距離を長くするテレ側ズーム操作とを行うズーム操作部材と、該ズーム操作部材の操作に従って前記撮影レンズの焦点距離を変更するズーム動作を電動で行うズーム制御手段と、を備えたカメラにおいて、前記カメラが撮影不能な停止状態の場合に、前記ズーム操作部材によってワイド側ズーム操作又はテレ側ズーム操作が一定時間継続して行われると、前記カメラを撮影可能な動作状態に切り替える起動手段と、前記カメラが前記動作状態の場合に、前記撮影レンズの焦点距離が最短となるワイド端に設定されている状態で前記ズーム操作部材によってワイド側ズーム操作が一定時間継続して行われた場合、又は、前記撮影レンズの焦点距離が最長となるテレ端に設定されている状態で前記ズーム操作部材によってテレ側ズーム操作が一定時間継続して行われた場合に、前記カメラを撮影不能な停止状態に切り替える停止手段と、を備えたことを特徴としている。
【０００９】
本発明によれば、ズーム操作を行うためのズーム操作部材を、カメラを停止状態（電源オフ）と動作状態（電源オン）とで切り替えるメインスイッチ用の操作部材として兼用したため、スイッチ類（操作部材）の省スペース化やコストの低減が図れる。また、ズーム操作を行うときと同一操作によってカメラの停止状態と動作状態とを切り替えることができるため、それらの切り替え操作をズーム操作と同様に簡単に行えるようにすることができ、特に、カメラの起動からズーム操作までの一連の操作を簡単且つ迅速に行うことができるようになる。
【００１０】
請求項２に記載のカメラは、請求項１に記載の発明において、前記ズーム操作部材によるワイド側ズーム操作の有無によってオン／オフ状態が切り替わるワイドスイッチと、前記ズーム操作部材によるテレ側ズーム操作の有無によってオン／オフ状態が切り替わるテレスイッチとを備え、前記ズーム制御手段、前記起動手段、及び、前記停止手段は、前記ワイドスイッチ又は前記テレスイッチのオン／オフ状態に基づいてワイド側ズーム操作又はテレ側ズーム操作が行われていることを検出することを特徴としている。本発明では、ズーム操作部材の動作に連動してオン／オフされるワイドスイッチとテレスイッチとが設けられたカメラでの態様を示しており、カメラを停止状態と動作状態とで切り替えるための特別な操作部材が不要なだけでなくスイッチも不要である。
【００１１】
請求項３に記載のカメラは、請求項２に記載の発明において、前記ズーム操作部材は、前記ワイドスイッチのオン／オフ状態を切り替えるワイドボタンと、該ワイドボタンと別体であって前記テレスイッチのオン／オフ状態を切り替えるテレボタンとからなることを特徴としている。本発明はズーム操作部材としてワイドボタンとテレボタンが別体で設けられているカメラの態様を示している。
【００１２】
請求項４に記載のカメラは、請求項１、２、又は、３に記載の発明において、前記撮影レンズは、前記カメラが前記停止状態から前記動作状態に切り替わると鏡胴がカメラボディに沈胴している沈胴状態から前記ワイド端の位置に繰り出され、前記カメラが前記動作状態から前記停止状態に切り替わると前記鏡胴が前記沈胴状態に繰り込まれることを特徴としている。本発明では、沈胴式の鏡胴の繰り出し位置によって焦点距離が変更されるカメラにおいて、カメラが停止状態か動作状態に切り替わると、鏡胴がワイド端の位置に設定されるようにしている。
【発明の効果】
【００１３】
本発明に係るカメラによれば、メインスイッチ（電源スイッチ）用の操作部材とズーム操作用の操作部材とが兼用されるためスイッチ類（操作部材）の省スペース化やコストの低減が図れると共に、電源のオン（カメラの起動）からズーム操作までの一連の操作を簡単且つ迅速に行うことができる。
【発明を実施するための最良の形態】
【００１４】
以下、添付図面に従って本発明に係るカメラの好ましい実施の形態について詳説する。
【００１５】
図１及び図２は、本発明に係るカメラの外観を正面側及び背面側から示した斜視図である。同図に示すカメラは、例えば３５ｍｍ銀塩フイルムに静止画を記録するコンパクトタイプのカメラであり、図１に示すようにカメラボディ１０の前面側には、可変焦点距離の撮影レンズ１２、ストロボ窓１４、ＡＦ受光窓１６、ファインダー対物窓１８、ＡＦ投光窓２０、測光窓２２などが配置され、カメラボディ１０の上面にはシャッターボタン２４が配設されている。図２に示すようにカメラボディ１０の背面側には、フイルムカートリッジをカメラボディ１０内に着脱する際に開閉する裏蓋２６、ファインダー接眼窓２８、ワイドボタン３０、テレボタン３２などが配設されている。
【００１６】
ワイドボタン３０とテレボタン３２は、自動復帰型の押しボタンであり、カメラの電源がオンされている状態（カメラが撮影可能な動作状態）では、撮影レンズ１２の鏡胴を電動（モータ）で繰り出し動作又は繰り込み動作させて焦点距離（ズーム倍率）を変更するズーム操作部材として機能し、ワイドボタン３０を押すと焦点距離が短くなるワイド側（例えば、繰り込み方向）に鏡胴が動作し、テレボタン３２を押すと焦点距離が長くなるテレ側（例えば、繰り出し方向）に鏡胴が動作する。
【００１７】
一方、ワイドボタン３０やテレボタン３２は、カメラの電源をオン／オフするメインスイッチ用の操作部材としても兼用されている。例えば、カメラの電源がオフされている状態（カメラが撮影不能な停止状態）のときにテレボタン３２を２秒間押し続けると、電源がオンされた状態、即ち、カメラが撮影可能な動作状態に切り替わり、撮影レンズ１２の鏡胴が沈胴状態からワイド端の位置まで繰り出される。カメラが動作状態の場合に、撮影レンズ１２の鏡胴がワイド端に設定している状態で、ワイドボタン３０を２秒間押し続けると、撮影レンズ１２の鏡胴が沈胴状態となるまでカメラボディ１０内に繰り込まれた後、電源がオフされた状態、即ち、カメラが撮影不能な停止状態に切り替わる。
【００１８】
このように、メインスイッチ用の操作部材がズーム操作部材と兼用されているため、スイッチ類の省スペース化やコストの低減、カメラの小型化が図られている。また、カメラを停止状態から動作状態に切り替えた後、ズーム操作を行うまでの一連の操作を、カメラを持ち直すことなく、実際に撮影を行うときと同じ状態で片手で行うことができ、迅速に撮影を開始することができる。
【００１９】
図３は、上記カメラの制御部の概略構成を示したブロック図である。同図に示すように上記カメラにはカメラの制御全体を統括するＣＰＵ４０が搭載されており、そのＣＰＵ４０には、カメラに配置される各種スイッチを包括して示したスイッチ類４２からの各種信号が与えられるようになっている。スイッチ類４２には、図１に示したシャッターボタン２４、ワイドボタン３０、テレボタン３２のようなユーザによって操作される操作部材の動作に連動してオン／オフされるスイッチやカメラ内の動作機構の動作等に連動してオン／オフされるスイッチなどが含まれている。
【００２０】
操作部材の動作に連動してオン／オフされるスイッチとしては、シャッターボタン２４の半押し時（及びそれ以上の押し込み操作時）にオンとなり、それ以外のときにオフとなるＳＰ１スイッチ、シャッターボタン２４の全押し時にオンとなり、それ以外のときにオフとなるＳＰ２スイッチ、ワイドボタン３０が押されたときにオンとなり、離されたときにオフとなるワイドスイッチ、テレボタン３２が押されたときにオンとなり、離されたときにオフとなるテレスイッチがある。ＣＰＵ４０にはそれらのスイッチのオン／オフ状態を示す信号が与えられており、同図では、上記ＳＰ１スイッチ、ＳＰ２スイッチ、ワイドスイッチ、テレスイッチの各々のオン／オフ状態を示すＳＰ１信号、ＳＰ２信号、ワイドスイッチ（ＷＩＤＥ ＳＷ）信号、テレスイッチ（ＴＥＬＥ ＳＷ）信号がスイッチ類４２からＣＰＵ４０に与えられる信号として具体的に示されている。
【００２１】
同図に示す測距回路４４、測光回路４６、ストロボ回路４８、シャッター回路５０、ドライバ５２は、ＣＰＵ４０からの指令に従って所要の処理を実行し、カメラ制御上必要な情報をＣＰＵ４０に与える回路である。各回路での処理内容の概略を説明すると、測距回路４４では、被写体までの距離を測定する測距処理が実行される。測距処理としてアクティブ方式が採用されており、図１に示したＡＦ投光窓２０から赤外等の測定光を投光し、被写体で反射した反射光がＡＦ受光窓１６から入光して受光される位置を検出することによって三角測距の原理により被写体までの距離が測定される。ＣＰＵ４０から測距回路４４に測距指令が与えられると、測距回路４４で測距処理が実行され、それによって得られた測距値がＣＰＵ４０に与えられる。尚、測距の方式は上述の方式に限らない。
【００２２】
測光回路４６では、被写体の明るさを測定する測光処理が行われ、ＣＰＵ４０から測光指令が与えられると図１に示した測光窓２２から入光する光を受光することによって被写体の明るさを示す測光値が検出され、その測光値がＣＰＵ４０に与えられる。
【００２３】
ストロボ回路４８では、ＣＰＵ４０から発光指令や発光停止指令に従って図１に示したストロボ窓１４から照明光を投光するストロボ光源の発光、発光停止が制御される。
【００２４】
シャッター回路５０では、ＣＰＵ４０からの露出指令や露出停止指令に従って撮影レンズ１２の鏡胴内のシャッターの開閉が制御される。
【００２５】
ドライバ５２では、各種モータの制御が行われる。例えば、撮影レンズ１２の鏡胴を繰り出し動作又は繰り込み動作させるＺモータ５４や、フォーカス調整用のレンズ群を光軸方向に動かすＬモータ５６、フィルム給送用のＦモータがドライバ５２によって制御される。尚、本実施の形態の撮影レンズ１２は、鏡胴の繰り出し位置によって焦点距離が変更されるようになっており、Ｚモータ５４は、電源がオフ状態（カメラが停止状態）の時の沈胴状態と電源がオン状態（カメラが動作状態）の時の撮影可能状態との間で鏡胴を動かすと共に、撮影可能状態において焦点距離が最短となるワイド端と焦点距離が最長となるテレ端との間で鏡胴を動かして撮影レンズ１２の焦点距離を電動で変化させるモータとして作用する。ドライバ５２は、ＣＰＵ４０からの指令に従ってこれらのモータを制御すると共に、モータによって駆動する対象の位置情報などをＣＰＵ４０に与える。
【００２６】
次に上記ＣＰＵ４０の処理について図４乃至図７のフローチャートを用いて説明する。ＣＰＵ４０は、図示しないメインルーチンの処理において、スイッチ類４２から与えられる信号に基づいてスイッチ状態の検出を繰り返し行っており、検出したスイッチ状態に応じた処理を実行するようになっている。本実施の形態では、シャッターボタン２４、ワイドボタン３０、テレボタン３２の動作に連動してオン／オフされる上記ＳＰ１スイッチ、ＳＰ２スイッチ、ワイドスイッチ、テレスイッチの状態に関連して実行されるＣＰＵ４０の処理について説明するものとすると、メインルーチンの処理では、図４のフローチャートに示すスイッチ操作検出処理が繰り返し実行される。尚、電源がオン状態であるか又はオフ状態であるかにかかわらず、即ち、カメラが動作状態である又はカメラが停止状態であるかにかかわらず、図４のスイッチ操作検出処理はＣＰＵ４０によって繰り返し実行される。
【００２７】
同図のスイッチ操作検出処理において、ＣＰＵ４０は、まず、スイッチ類４２から与えられるテレスイッチ信号に基づいてテレスイッチがオンされているか否か、即ち、テレボタン３２が押されているか否かを判定する（ステップＳ１０）。ＹＥＳと判定した場合には、後述するテレ操作処理を実行する（ステップＳ１２）。
【００２８】
ステップＳ１０においてＮＯと判定した場合、続いてＣＰＵ４０は、スイッチ類４２から与えられるワイドスイッチ信号に基づいてワイドスイッチがオンされているか否か、即ち、ワイドボタン３０が押されているか否かを判定する（ステップＳ１４）。ＹＥＳと判定した場合には、後述のワイド操作処理を実行する（ステップＳ１６）。
【００２９】
ステップＳ１４においてＮＯと判定した場合、続いてＣＰＵ４０は、スイッチ類４２から与えられるＳＰ１信号に基づいてＳＰ１スイッチがオンされているか否か、即ち、シャッターボタン２４が半押しされているか否かを判定する（ステップＳ１８）。ＹＥＳと判定した場合には後述のレリーズ処理（ステップＳ２０）を実行する。ＮＯと判定した場合にはメインルーチンに処理に戻る。
【００３０】
次に、上記ステップＳ１２のテレ操作処理について図５のフローチャートを用いて説明する。テレボタン３２が押されて上記ステップＳ１２のテレ操作処理に移行すると、ＣＰＵ４０は、まず、カメラが動作状態（電源がオン状態）か否かを判定する（ステップＳ３０）。ＹＥＳと判定した場合には、撮影レンズ１２の鏡胴がテレ端の状態になっているか否かを判定する（ステップＳ３２）。ここで、ＮＯと判定した場合には、上記ドライバ５２に対してＺモータ５４をテレ方向に駆動させる指令を与え鏡胴をテレ方向（繰り出し方向）に駆動する（ステップＳ３４）。続いて、鏡胴がテレ端の状態に達したか否かを判定する（ステップＳ３６）。ＮＯと判定した場合には、スイッチ類４２から与えられるテレスイッチ信号に基づいてテレスイッチがオンされているか否か、即ち、テレボタン３２が依然として押されているか否かを判定し（ステップＳ３８）、ＹＥＳと判定した場合にはステップＳ３６に戻る。
【００３１】
上記ステップＳ３２、又は、ステップＳ３６の判定処理においてＹＥＳ、即ち、鏡胴がテレ端の状態となった場合、又は、ステップＳ３８の判定処理においてＮＯ、即ち、テレスイッチがオフになった場合には、鏡胴の駆動を停止させる（ステップＳ４０）。そして、テレスイッチがオンされているか否かのステップＳ４２の判定処理をＮＯと判定するまで繰り返し、ＮＯと判定すると、メインルーチンの処理に戻る。
【００３２】
一方、ステップＳ３０においてＮＯ、即ち、カメラが停止状態（電源がオフ状態）であると判定した場合、ＣＰＵ４０は、タイマーによる時間計測を開始させる（ステップＳ４４）。そして、スイッチ類４２から与えられるテレスイッチ信号に基づいてテレスイッチがオンされているか否か、即ち、テレボタン３２が依然として押されているか否かを判定する（ステップＳ４６）。ＮＯと判定した場合には、本フローチャートの処理を終了し、メインルーチンに戻る。ＹＥＳと判定した場合には続いてタイマーによる計測時間が２秒を経過したか否かを判定する（ステップＳ４８）。この判定処理においてＮＯと判定した場合には、ステップＳ４６の判定処理に戻り、ステップＳ４６でＮＯと判定するか、又は、ステップＳ４８でＹＥＳと判定するまで、ステップＳ４６とステップＳ４８の判定処理を繰り返す。
【００３３】
ステップＳ４８の判定処理においてＹＥＳ、即ち、テレスイッチがオンされた状態で２秒が経過したと判定した場合には、一般的なカメラでメインスイッチがオンされた場合と同様にカメラを起動し（ステップＳ５０）、Ｚモータ５４を駆動することによって鏡胴を沈胴状態からワイド端の状態に繰り出す（ステップＳ５２）。そして、上記ステップＳ４２の判定処理に移行し、テレスイッチがオフされると、メインルーチンの処理に戻る。
【００３４】
尚、本フローチャートの処理では、カメラが停止状態の場合にテレボタン３２を２秒間継続して押すことによって、ステップＳ５０、Ｓ５２の処理によってカメラが動作状態に切り替わり、その後、ステップＳ４２の判定処理によって一旦、テレボタン３２を離すと、本フローチャートの処理が終了し、カメラが動作状態のときの処理に移行するようになっているが、ステップＳ５０、Ｓ５２の処理によってカメラが動作状態に切り替わった後、ステップＳ４２の判定処理を行うことなく、本フローチャートの処理を終了させるようにしてもよい。即ち、テレボタン４２を押してカメラが停止状態から動作状態に切り替わった後、継続してテレボタン４２を押し続けると、ステップＳ３２〜ステップＳ４０までのズーム操作の処理が行われるようにしてもよい。
【００３５】
次に、図４におけるステップＳ１６のワイド操作処理について図６のフローチャートを用いて説明する。ワイドボタン３０が押されて図４のステップＳ１６のワイド操作処理に移行すると、ＣＰＵ４０は、まず、カメラが動作状態（電源がオン状態）か否かを判定する（ステップＳ６０）。ＮＯと判定した場合には、その操作は無効に等しく、後述のステップＳ７２の判定処理に移行し、ワイドスイッチがオフされるのを待ってメインルーチンの処理に戻る。
【００３６】
一方、ステップＳ６０においてＹＥＳと判定した場合には、続いて撮影レンズ１２の鏡胴がワイド端の状態になっているか否かを判定する（ステップＳ６２）。ここで、ＮＯと判定した場合には、上記ドライバ５２に対してＺモータ５４をワイド方向に駆動させる指令を与え鏡胴をワイド方向（繰り出し方向）に駆動する（ステップＳ６４）。そして、鏡胴がワイド端の状態に達したか否かを判定する（ステップＳ６６）。ＮＯと判定した場合には、スイッチ類４２から与えられるワイドスイッチ信号に基づいてワイドスイッチがオンされているか否か、即ち、ワイドボタン３０が依然として押されているか否かを判定し（ステップＳ６８）、ＹＥＳと判定した場合にはステップＳ６６に戻る。
【００３７】
ステップＳ６６の判定処理においてＹＥＳ、即ち、鏡胴がワイド端の状態となった場合、又は、ステップＳ６８の判定処理においてＮＯ、即ち、ワイドスイッチがオフになった場合には、鏡胴の駆動を停止させる（ステップＳ７０）。そして、ワイドスイッチがオンされているか否かのステップＳ７２の判定処理をＮＯと判定するまで繰り返し、ＮＯと判定すると、メインルーチンの処理に戻る。
【００３８】
一方、ステップＳ６２においてＹＥＳ、即ち、撮影レンズ１２の鏡胴がワイド端の状態であると判定した場合、ＣＰＵ４０は、タイマーによる時間計測を開始させる（ステップＳ７４）。そして、スイッチ類４２から与えられるワイドスイッチ信号に基づいてワイドスイッチがオンされているか否か、即ち、ワイドボタン３０が依然として押されているか否かを判定する（ステップＳ７６）。ＮＯと判定した場合には、本フローチャートの処理を終了し、メインルーチンに戻る。ＹＥＳと判定した場合には続いてタイマーによる計測時間が２秒を経過したか否かを判定する（ステップＳ７８）。この判定処理においてＮＯと判定した場合には、ステップＳ７６の判定処理に戻り、ステップＳ７６でＮＯと判定するか、又は、ステップＳ７８でＹＥＳと判定するまで、ステップＳ７６とステップＳ７８の判定処理を繰り返す。
【００３９】
ステップＳ７８の判定処理においてＹＥＳ、即ち、ワイドスイッチがオンされた状態で２秒が経過したと判定した場合には、一般的なカメラでメインスイッチがオフされた場合と同様にＺモータ５４を駆動して撮影レンズ１２の鏡胴を沈胴状態にし（ステップＳ８０）、カメラを撮影不能な停止状態（電源をオフ状態）にする（ステップＳ８２）。そして、上記ステップＳ７２の判定処理に移行し、ワイドスイッチがオフされると、メインルーチンの処理に戻る。
【００４０】
尚、本フローチャートの処理によれば、撮影レンズ１２の鏡胴がワイド端の状態でない場合に、ワイドボタン３０を押してワイド端の状態にした後、ステップＳ７２の判定処理によって一旦、ワイドボタン３０を離すと、本フローチャートの処理が終了する。そして、再度、ワイドボタン３２を２秒間継続して押すと、ステップＳ８０、Ｓ８２の処理によりカメラが停止状態となるようにしたが、ワイドボタン３０を押して鏡胴がワイド端の状態になった後、ステップＳ７２の判定処理を行うことなく、ワイドボタン３０を継続して押し続けると、ステップＳ８０、Ｓ８２の処理が実行されてカメラが停止状態となるようにしてもよい。
【００４１】
次に、図４におけるステップＳ２０のレリーズ処理について図７のフローチャートを用いて説明する。ＣＰＵ４０は、まず、カメラが動作状態か否かを判定する（ステップＳ９０）。ＮＯと判定した場合には、その操作は無効に等しく、メインルーチンの処理に戻る。ＹＥＳと判定した場合には、次に測光回路４６に測光処理を実行させ、測光回路４６から測光値を取得する（ステップＳ９２）。続いて、測距回路４４に測距処理を実行させ、測距回路４４から測距値を取得する。
【００４２】
次にＣＰＵ４０は、スイッチ類４２から与えられるＳＰ２信号に基づいてＳＰ２スイッチがオンされたか否か、即ち、シャッターボタン２４が全押しされたか否かを判定する（ステップＳ９６）。ＮＯと判定した場合には、スイッチ類４２から与えられるＳＰ１信号に基づいてＳＰ１スイッチが依然としてオンされているか否か、即ち、シャッターボタン２４の半押しが継続されているか否かを判定する（ステップＳ９８）。ＹＥＳと判定した場合には、ステップＳ９６に戻る。ＮＯと判定した場合には、本フローチャートの処理を終了しメインルーチンの処理に戻る。
【００４３】
ステップＳ９６においてＹＥＳ、即ち、シャッターボタン２４が全押しされたと判定した場合、ＣＰＵ４０は上記ドライバ５２に指令してフォーカス用のＬモータ５６を駆動し、ステップＳ９４の測距処理によって得られた測距値に対応する位置にフォーカス用のレンズ群を移動させる（ステップＳ１００）。
【００４４】
続いて、シャッター回路５０に指令し、ステップＳ９２の測光処理によって得られた測光値に基づいて適正な露光量となるようにシャッターを開口させる時間や開口量を制御してフイルムを露出させる（ステップＳ１０２）。尚、必要に応じてストロボ回路４８によってストロボを発光させる。露出処理が終了すると、上記ドライバ５２にＦモータ５８を駆動させてフイルムを１コマ分給送させる（ステップＳ１０４）。そして、本フローチャートの処理を終了し、メインルーチンの処理に戻る。
【００４５】
以上、上記実施の形態では、カメラが停止状態（電源がオフ状態）のときにテレボタン３２を一定時間（２秒）以上継続して押すと、カメラが動作状態（電源がオン状態）に切り替わるようにしたが、これに限らず、カメラが停止状態のときにワイドボタン３０を一定時間以上継続して押すと、カメラが動作状態に切り替わるようにしてもよい。また、テレボタン３２とワイドボタン３０のいずれか一方のみの操作によってカメラを停止状態から動作状態に切り替えられるようにするのではなく、いずれかのボタンが一定時間以上押された場合にカメラを動作状態に切り替えられるようにしてもよい。同様に、上記実施の形態では、カメラが動作状態の場合に、撮影レンズ１２の鏡胴がワイド端の状態に設定されているときにワイドボタン３０を一定時間（２秒）以上継続して押すと、カメラが停止状態に切り替わるようにしたが、撮影レンズ１２の鏡胴がテレ短の状態に設定されているときにテレボタン３２を一定時間以上継続して押すと、カメラが停止状態に切り替わるようにしてもよく、また、いずれか一方のみの操作によってカメラを停止状態に切り替えられるようにするのではなく、いずれかの操作を行うことによってカメラを停止状態に切り替えらえるようにしてもよい。更に、カメラを動作状態又は停止状態に切り替えるための継続して行うワイドボタン３０又はテレボタン３２の操作時間は２秒と異なる時間であってもよい。
【００４６】
また、上記実施の形態では、ズーム操作のためのズーム操作部材は、ワイド側ズーム操作と、テレ側ズーム操作とを個別に設けられたワイドボタン３０とテレボタン３２とで行う場合を示したが、本発明は、他の形態のズーム操作部材の場合、例えば、揺動スイッチのようにワイド側ズーム操作とテレ側ズーム操作とを揺動方向によって行えるようにしたズーム操作部材等でも適用できる。
【００４７】
また、上記実施の形態では、銀塩フイルム用のコンパクトカメラに本発明を適用した場合について説明したが、本発明は、任意のカメラ、例えば、デジタルスティルカメラや動画撮影用のムービーカメラにも適用できる。
【図面の簡単な説明】
【００４８】
【図１】図１は、本発明に係るカメラの外観を正面側から示した斜視図である。
【図２】図２は、本発明に係るカメラの外観を背面側から示した斜視図である。
【図３】図３は、本発明に係るカメラの制御部の概略構成を示したブロック図である。
【図４】図４は、カメラのＣＰＵによって実行されるスイッチ操作検出処理の処理手順を示したフローチャートである。
【図５】図５は、カメラのＣＰＵによって実行されるテレ操作処理の処理手順を示したフローチャートである。
【図６】図６は、カメラのＣＰＵによって実行されるワイド操作処理の処理手順を示したフローチャートである。
【図７】図７は、カメラのＣＰＵによって実行されるレリーズ処理の処理手順を示したフローチャートである。
【符号の説明】
【００４９】
１０…カメラボディ、１２…撮影レンズ、２４…シャッターボタン、３０…ワイドボタン、３２…テレボタン、４０…ＣＰＵ、４２…スイッチ類、４４…測距回路、４６…測光回路、４８…ストロボ回路、５０…シャッター回路、５２…ドライバ、５４…Ｚモータ、５６…Ｌモータ、５８…Ｆモータ
【図１】
2006163138.tif 000003
【図２】
2006163138.tif 000004
【図３】
2006163138.tif 000005
【図４】
2006163138.tif 000006
【図５】
2006163138.tif 000007
【図６】
2006163138.tif 000008
【図７】
2006163138.tif 000009